(57)【要約】【課題】  接着剤を用いずに、線材を簡単に固定できる線材用フック、それを備えた電子機器、および電子楽器を提供する。【解決手段】  第１線材用フック１１は、貫通孔１８が設けられたベース部である上部ケース６と、この上部ケース６に一端が設けられた支持部１３と、この支持部１３の側面に設けられたフック部１４と、を備え、線材である接続線１０を挟持するための挟持空間１５が、支持部１３とフック部１４との間に設けられており、貫通孔１８がフック部１４の上部ケース６への正射影領域を含む領域に設けられている。従って、フック部１４と上部ケース６との間のガイド空間１６に接続線１０を挟み込むように差し込むことにより、接続線１０を良好に挟持空間１５に導くことができ、この導かれた接続線１０を支持部１３とフック部１４との間の挟持空間１５で確実に挟み付けることができる。【選択図】        図５
2019091865.tif 000002
【特許請求の範囲】
【請求項１】
第１貫通孔が設けられたベース部と、
前記ベース部に一端が設けられている支持部と、
前記支持部の側面に設けられている第１部材と、
を備え、
線材を挟持するための挟持空間が、少なくとも前記支持部と前記第１部材との間及び、前記第１部材内のいずれかに設けられており、
前記第１貫通孔は、前記第１部材の前記ベース部への正射影領域を含む領域を有することを特徴とする線材用フック。
【請求項２】
請求項１に記載の線材用フックにおいて、
前記線材を前記挟持空間に導くためのガイド空間が、前記支持部の一端側かつ、前記第１部材と前記ベース部との間に設けられていることを特徴とする線材用フック。
【請求項３】
請求項１または２記載の線材用フックにおいて、
前記ベース部側の一端の前記支持部の肉厚は、他端の前記支持部の肉厚より厚いことを特徴とする線材用フック。
【請求項４】
請求項１乃至３のいずれかに記載の線材用フックにおいて、
前記ベース部側の一端の前記第１部材の肉厚は、他端の前記第１部材の肉厚より厚いことを特徴とする線材用フック。
【請求項５】
請求項１乃至４のいずれかに記載の線材用フックにおいて、
前記挟持空間が前記支持部と前記第１部材との間に設けられている場合に、前記支持部と前記第１部材との対向面の少なくとも一方には、前記線材が圧入される圧入突起が設けられていることを特徴とする線材用フック。
【請求項６】
請求項１乃至５のいずれかに記載の線材用フックにおいて、
前記挟持空間が前記第１部材内に設けられている場合に、前記第１部材内には、前記線材が圧入される圧入突起が設けられていることを特徴とする線材用フック。
【請求項７】
請求項１乃至６のいずれかに載の線材用フックにおいて、
前記支持部の前記側面とは別の面に、線材を挟持させる第２部材が更に設けられており、
前記ベース部材は、前記第２部材の前記ベース部材への正射影領域を含む領域の第２貫通孔を有することを特徴とする線材用フック。
【請求項８】
請求項１乃至７のいずれかに記載の線材用フックにおいて、
前記支持部は、前記ベース部に一体に形成されていることを特徴とする線材用フック。
【請求項９】
請求項１乃至８のいずれかに記載の線材用フックと、
前記線材用フックに係止される配線と、
を備えていることを特徴とする電子機器。
【請求項１０】
請求項１乃至８のいずれかに記載の線材用フックと、
前記線材用フックに係止される配線と、
を備えていることを特徴とする電子楽器。
【発明の詳細な説明】
【技術分野】
【０００１】
この発明は、電子楽器などの電子機器に用いられる線材用フック、それを備えた電子機器、および電子楽器に関する。
【背景技術】
【０００２】
例えば、電子機器においては、特許文献１に記載されているように、回路基板と電子部品と接続する線材を固定する線材用フックを備えた構造のものが知られている。
【先行技術文献】
【特許文献】
【０００３】
【特許文献１】実開平０３−２５２８８号公報
【０００４】
この種の線材用フックは、機器ケースなどのベース部に一対の突起片を対向させて設け、これら一対の突起片の対向面にフック部を互いに対向させて設け、これら一対のフック部間を通して線材を一対の突起片間に配置する構造になっている。
【発明の概要】
【発明が解決しようとする課題】
【０００５】
しかしながら、このような線材用フックでは、一対の突起片間に線材を配置するだけの構造であるから、線材を確実に保持して位置規制することができない。このため、このような線材用フックでは、一対の突起片間に線材を配置した状態で、ボンドなどの接着剤で線材を一対の突起片に固定する必要がある。
【０００６】
この発明が解決しようとする課題は、接着剤を用いずに、線材を簡単に固定することができる線材用フック、それを備えた電子機器、および電子楽器を提供することである。
【課題を解決するための手段】
【０００７】
この発明の一態様は、第１貫通孔が設けられたベース部と、前記ベース部に一端が設けられている支持部と、前記支持部の側面に設けられている第１部材と、を備え、線材を挟持するための挟持空間が、少なくとも前記支持部と前記第１部材との間及び、前記第１部材内のいずれかに設けられており、前記第１貫通孔は、前記第１部材の前記ベース部への正射影領域を含む領域を有することを特徴とする線材用フックである。
【発明の効果】
【０００８】
この発明によれば、接着剤を用いずに、線材を簡単に固定することができる。
【図面の簡単な説明】
【０００９】
【図１】この発明を電子鍵盤楽器に適用した第１実施形態を示した斜視図である。
【図２】図１に示された電子鍵盤楽器のＡ−Ａ矢視において、要部を断面で示した拡大斜視図である。
【図３】図２に示された電子鍵盤楽器の上部ケースを裏面側から見た拡大斜視図である。
【図４】図３に示された上部ケースのＢ−Ｂ矢視において、要部を上下反転させて示した拡大断面図である。
【図５】図３に示された第１線材用フックを示した拡大斜視図である。
【図６】図５に示された第１線材用フックのＣ−Ｃ矢視における要部の拡大断面図である。
【図７】図５に示された第１線材用フックをフック部側から見た拡大正面図である。
【図８】図４に示された上部ケースに第１、第２線材用フックを成型する成型用金型を示した要部の拡大断面図である。
【図９】この発明を電子鍵盤楽器に適用した第２実施形態において、線材用フックを示した拡大斜視図である。
【図１０】図９に示された線材用フックの各変形例を示し、（ａ）はその第１変形例を示した拡大断面図、（ｂ）はその第２変形例を示した拡大断面図である。
【発明を実施するための形態】
【００１０】
（第１実施形態）
以下、図１〜図８を参照して、この発明を電子鍵盤楽器に適用した第１実施形態について説明する。
この電子鍵盤楽器は、図１に示すように、楽器ケース１を備えている。この楽器ケース１は、前後における前側（図１では下辺側）のほぼ半分の領域に露出した状態で設けられた鍵盤部２と、後側（図１では上辺側）のほぼ半分の領域における両側部に設けられた一対のスピーカ部３と、これら一対のスピーカ部３間に設けられた表示操作部４と、を備えている。
【００１１】
鍵盤部２は、図１に示すように、白鍵２ａと黒鍵２ｂとを備え、これらが並列に配置されている。表示操作部４は、スイッチ部４ａと表示部４ｂとを備えている。スイッチ部４ａは、電源スイッチ、モードスイッチ、音色スイッチなどの各種のスイッチを備えている。表示部４ｂは、液晶表示パネルやＥＬ（エレクトロ・ルミネッセンス）表示パネルなどの平面型の表示パネルであり、楽器に必要な各種の情報を表示するようになっている。
【００１２】
楽器ケース１は、図１および図２に示すように、下部ケース５と一対の上部ケース６と中間ケース７とを備えている。下部ケース５は、上方に開放された横長の箱状に形成され、前部側に鍵盤部２が配置されるようになっている。中間ケース７は、表示操作部４が設けられるものであり、鍵盤部２の後部側における一対の上部ケース６間に位置して下部ケース５の上部に設けられている。
【００１３】
一対の上部ケース６は、図１〜図３に示すように、楽器ケース１の両側の一対のスピーカ部３に対応する下部ケース５の両側上部と、鍵盤部２の両側に位置する下部ケース５の両側上部とに設けられている。すなわち、上部ケース６は、スピーカ部３に対応するスピーカ搭載部６ａと、鍵盤部２の側部に配置される側部カバー６ｂと、を備えている。スピーカ搭載部６ａは、下面にスピーカ８が取り付けられるものである。
【００１４】
この場合、スピーカ搭載部６ａの中心部には、図３に示すように、円形状の放音孔６ｃが設けられている。このスピーカ搭載部６ａの上面には、図１および図２に示すように、スピーカネット９が設けられている。また、スピーカ搭載部６ａの下面には、スピーカ８と中間ケース７の下面に取り付けられた回路基板（図示せず）とを電気的に接続する複数の接続線１０を固定する第１、第２線材用フック１１、１２が設けられている。
【００１５】
第１線材用フック１１は、図３〜図５に示すように、ベース部である上部ケース６におけるスピーカ搭載部６ａの下面（図３では上面）に設けられた支持部１３と、上部ケース６と反対側の支持部１３の端部、つまり支持部１３の下端部（図３では上端部）に設けられたフック部１４と、を備え、これらが後述する成型用金型２０によってベース部である上部ケース６に一体に形成されている。
【００１６】
この場合、支持部１３は、図５に示すように、板状をなし、上部ケース６のスピーカ搭載部６ａの下面に一体に垂下された状態で設けられている。フック部１４は、支持部１３の下端部における側面から側方に突出するアーム部１４ａと、このアーム部１４ａの先端部から支持部１３と平行に延びて対向する延出部１４ｂと、を備えている。
【００１７】
これにより、第１線材用フック１１は、図５に示すように、支持部１３とフック部１４の延出部１４ｂとの間に線材である接続線１０を挟む挟持空間１５と、上部ケース６の下面とフック部１４の延出部１４ｂの上端面との間を通して接続線１０を挟持空間１５に導くガイド空間１６と、を備えている。
【００１８】
この場合、挟持空間１５における支持部１３とフック部１４の延出部１４ｂとが対向する対向面のうち、延出部１４ｂの対向面には、図６に示すように、接続線１０を圧入させるための半円柱状の圧入突起１７が設けられている。すなわち、挟持空間１５は、延出部１４ｂの圧入突起１７と支持部１３との間隔が接続線１０の直径よりも小さく形成されている。これにより、挟持空間１５は、接続線１０が圧入されて固定されるようになっている。
【００１９】
また、ガイド空間１６は、図５に示すように、上部ケース６の下面とフック部１４の延出部１４ｂの上端面との間隔が接続線１０の直径と同じか、それよりも大きく形成されている。このため、ガイド空間１６は、接続線１０が挟み込まれるように差し込まれて円滑にかつ容易に挿通されることにより、接続線１０を挟持空間１５に導くようになっている。
【００２０】
この場合、挟持空間１５は、図５に示すように、上下方向の長さが複数の接続線１０、例えば２〜３本の接続線１０を挟める長さになっている。このため、第１線材用フック１１は、複数の接続線１０が挟持空間１５に挟まれた際に、破損することがないように、十分な強度が確保されている。
【００２１】
すなわち、フック部１４は、図５に示すように、支持部１３の肉厚方向と直交する幅方向の肉厚が支持部１３の肉厚よりも厚く形成されている。支持部１３は、フック部１４の肉厚方向の長さ（幅）がフック部１４の肉厚よりも長く形成されている。また、フック部１４のアーム部１４ａは、上下方向の長さがフック部１４の延出部１４ｂの肉厚方向と直交する方向の長さよりも長く形成されている。これらによって、第１線材用フック１１は、強度が確保されている。
【００２２】
この場合、支持部１３は、図５および図７に示すように、下端部の肉厚が上端部の肉厚より厚く形成されている。これにより、支持部１３には、後述する成型用金型２０の離型時における抜き勾配が設けられている。また、フック部１４は、下端部の肉厚が上端部のフック部１４の肉厚より厚く形成されている。これにより、フック部１４には、後述する成型用金型２０の離型時における抜き勾配が設けられている。
【００２３】
また、上部ケース６には、図４および図５に示すように、フック部１４の大きさに対応する大きさの抜き孔である貫通孔１８が上下に貫通して設けられている。すなわち、この貫通孔１８は、成型用金型２０でフック部１４を成型する際の成型用金型２０の型抜き用の抜き孔である。この貫通孔１８は、フック部１４の上部ケース６への正射影領域、つまりガイド空間１６におけるフック部１４の延出部１４ｂの上端面と、挟持空間１５における支持部１３と延出部１４ｂとの間隔との両方に対応する大きさの領域に設けられている。
【００２４】
一方、第２線材用フック１２は、図３および図４に示すように、ベース部である上部ケース６のスピーカ搭載部６ａの下面（図３では上面）に設けられた支持部１３の下部両側に第１、第２フック部２５、２６を設けた構造であり、これ以外は第１線材用フック１１と同じ構造になっている。すなわち、支持部１３は、板状をなし、上部ケース６のスピーカ搭載部６ａの下面に一体に垂下された状態で設けられている。
【００２５】
第１、第２フック部２５、２６は、図３および図４に示すように、支持部１３の下端部における両側面から各側方に向けてそれぞれ突出する一対のアーム部２５ａ、２６ａと、これら一対のアーム部２５ａ、２６ａの各先端部から支持部１３と平行に延びてそれぞれ対向する一対の延出部２５ｂ、２６ｂと、を備えている。
【００２６】
これにより、第２線材用フック１１は、図３および図４に示すように、支持部１３と第１、第２フック部２５、２６の各延出部２５ｂ、２６ｂとの間に線材である接続線１０をそれぞれ挟む一対の挟持空間１５と、上部ケース６の下面と第１、第２フック部２５、２６の各延出部２５ｂ、２６ｂの上端面との間を通して接続線１０をそれぞれ一対の挟持空間１５に導く一対のガイド空間１６と、を備えている。
【００２７】
この場合にも、一対の挟持空間１５における支持部１３と第１、第２フック部２５、２６の各延出部２５ｂ、２６ｂとが対向する各対向面のうち、各延出部２５ｂ、２６ｂの各対向面には、第１線材用フック１１と同様、接続線１０が圧入される半円柱状の圧入突起１７がそれぞれ設けられている。また、上部ケース６には、第１線材用フック１１と同様、第１、第２フック部２５、２６の大きさに対応する大きさの領域に第１、第２貫通孔２７、２８が支持部１３の両側にそれぞれ設けられている。
【００２８】
また、この場合にも、第２線材用フック１１の支持部１３は、下端部の肉厚が上端部の肉厚より厚く形成されている。これにより、支持部１３には、後述する成型用金型２０の離型時における抜き勾配が設けられている。第１、第２フック部２５、２６は、各下端部の肉厚が各上端部の肉厚より厚く形成されている。これにより、第１、第２フック部２５、２６にも、後述する成型用金型２０の離型時における抜き勾配が設けられている。
【００２９】
次に、図８を参照して、第１、第２線材用フック１１、１２を備えた上部ケース６を成型用金型２０で成型する場合について説明する。
この場合、成型用金型２０は、図８に示すように、上金型２１と下金型２２とを備え、これを重ね合わせることにより、内部に成型用空間であるキャビティ２３が形成されるようになっている。
【００３０】
すなわち、上金型２１と下金型２２とによって形成されるキャビティ２３は、図８に示すように、上部ケース６のスピーカ搭載部６ａと側部カバー６ｂとを形成するキャビティ本体２３ａと、第１線材用フック１１を形成する第１キャビティ２３ｂと、第２線材用フック１２を形成する第２キャビティ２３ｃと、を備えている。
【００３１】
このため、上金型２１には、キャビティ本体２３ａを形成する成型凹部２１ａと、第１キャビティ２３ｂを形成するための第１成型凸部２１ｂと、第２キャビティ２３ｃを形成するための第２成型凸部２１ｃとが設けられている。また、下金型２２には、上金型２１の第１成型凸部２１ｂが挿入して第１キャビティ２３ｂを形成するための第１成型凹部２２ａと、上金型２１の第２成型凸部２１ｃが挿入して第２キャビティ２３ｃを形成するための第２成型凹部２２ｂとが設けられている。
【００３２】
これにより、上金型２１と下金型２２とを重ね合わせた際には、図８に示すように、上金型２１の下面と下金型２２の上面とが重なり合って、上金型２１の成型凹部２１ａが下金型２２の上面で塞がれ、下金型２２の第１成型凹部２２ａに上金型２１の第１成型凸部２１ｂが挿入すると共に、下金型２２の第２成型凹部２２ｂに上金型２１の第２成型凸部２１ｃが挿入する。
【００３３】
このため、上金型２１の下面と下金型２２の上面との間には、図８に示すように、上金型２１の成型凹部２１ａによってキャビティ本体２３ａが形成され、下金型２２の第１成型凹部２２ａと上金型２１の第１成型凸部２１ｂとの間には、第１キャビティ２３ｂが形成され、下金型２２の第２成型凹部２２ｂと上金型２１の第２成型凸部２１ｃとの間には、第２キャビティ２３ｃが形成される。
【００３４】
この状態で、成型用金型２０のキャビティ２３内に樹脂を注入すると、図８に示すように、キャビティ本体２３ａ内に上部ケース６のスピーカ搭載部６ａと側部カバー６ｂとが形成され、第１キャビティ２３ｂ内に第１線材用フック１１が形成され、第２キャビティ２３ｃ内に第２線材用フック１２が形成される。そして、上金型２１と下金型２２とを離型すると、図４に示すように、第１線材用フック１１および第２線材用フック１２が一体に形成された上部ケース６が得られる。
【００３５】
このときには、第１キャビティ２３ｂを形成する上金型２１の第１成型凸部２１ｂが下金型２２の第１成型凹部２２ａから抜け出すので、上部ケース６に貫通孔１８が第１線材用フック１１のフック部１４に対応して設けられる。同様に、第２キャビティ２３ｃを形成する上金型２１の第２成型凸部２１ｃが下金型２２の第２成型凹部２２ｂから抜け出すので、上部ケース６に第１、第２貫通孔２７、２８が第２線材用フック１２の第１、第２フック部２５、２６に対応して設けられる。
【００３６】
このような上部ケース６にスピーカ８を取り付けて配線する場合には、まず、上部ケース６の下面にスピーカ８を円形状の放音孔６ｃに対応させて取り付ける。このスピーカ８と中間ケース７に設けられた回路基板（図示せず）とを複数の接続線１０で接続する。このときには、まず、複数の接続線１０の各一端部をスピーカ８に接続し、この状態で複数の接続線１０を第１線材用フック１１または第２線材用フック１２に引っ掛けて固定する。
【００３７】
すなわち、複数の接続線１０のうち、例えば１本の接続線１０を第１線材用フック１１に引っ掛けて固定する場合には、まず、接続線１０を上部ケース６の下面とフック部１４の延出部１４ｂの上端面との間のガイド空間１６に挟み込むように差し込み、このガイド空間１６を通して接続線１０を支持部１３とフック部１４の延出部１４ｂとの間の挟持空間１５に導く。
【００３８】
そして、支持部１３とフック部１４の延出部１４ｂとの間の挟持空間１５に導かれた接続線１０を支持部１３とフック部１４の延出部１４ｂとの間の挟持空間１５に挟み込む。このときには、挟持空間１５において支持部１３に対向するフック部１４の延出部１４ｂの対向面に半円柱状の圧入突起１７が設けられている。
【００３９】
このため、挟持空間１５は、延出部１４ｂの圧入突起１７と支持部１３との間隔が接続線１０の直径よりも小さく形成されている。これにより、挟持空間１５に導かれた接続線１０は、挟持空間１５に圧入される。このため、接続線１０は、ボンドなどの接着剤を用いずに、第１線材用フック１１に確実に固定される。
【００４０】
この場合、上述した説明では、第１線材用フック１１に１本の接続線１０を引っ掛けて固定したが、第１線材用フック１１の挟持空間１５は、その上下方向の長さが複数の接続線１０、例えば２〜３本の接続線１０を挟める長さに形成されている。このため、第１線材用フック１１の挟持空間１５に２〜３本の接続線１０を引っ掛けて固定することができる。
【００４１】
一方、複数の接続線１０のうち、例えば２本の接続線１０を第２線材用フック１２にそれぞれ引っ掛けて固定する場合には、まず、２本の接続線１０を上部ケース６の下面と第１、第２フック部２５、２６の各延出部２５ｂ、２６ｂの上端面との間に設けられた一対のガイド空間１６に第２線材用フック１２の両側からそれぞれ挟むように差し込む。そして、これら一対のガイド空間１６を通して２本の接続線１０をそれぞれ支持部１３と第１、第２フック部２５、２６の各延出部２５ｂ、２６ｂとの間に設けられた一対の挟持空間１５にそれぞれ導く。
【００４２】
このように導かれた２本の接続線１０を支持部１３と第１、第２フック部２５、２６の各延出部２５ｂ、２６ｂとの間の一対の挟持空間１５にそれぞれ挟み込む。このときには、一対の挟持空間１５において支持部１３に対向する第１、第２フック部２５、２６の各延出部２５ｂ、２６ｂの対向面それぞれに半円柱状の圧入突起１７が設けられている。
【００４３】
このため、一対の挟持空間１５は、各延出部２５ｂ、２６ｂの圧入突起１７と支持部１３との間隔がそれぞれ接続線１０の直径よりも小さく形成されている。これにより、一対の挟持空間１５に導かれた各接続線１０は、一対の挟持空間１５にそれぞれ圧入される。このため、２本の接続線１０は、ボンドなどの接着剤を用いずに、第２線材用フック１２に確実に固定される。
【００４４】
この場合にも、第２線材用フック１２の一対の挟持空間１５にそれぞれ接続線１０を１本ずつ引っ掛けて固定したが、第２線材用フック１２の一対の挟持空間１５は、第１線材用フック１１と同様、上下方向の長さが複数の接続線１０、例えば２〜３本の接続線１０を挟める長さに形成されている。このため、第２線材用フック１２の一対の挟持空間１５それぞれに２〜３本の接続線１０を引っ掛けて固定することができる。
【００４５】
このように、この電子鍵盤楽器の第１線材用フック１１によれば、貫通孔１８が設けられたベース部である上部ケース６と、この上部ケース６に一端が設けられた支持部１３と、この支持部１３の側面に設けられたフック部１４と、を備え、線材である接続線１０を挟持するための挟持空間１５が、支持部１３とフック部１４との間に設けられており、貫通孔１８がフック部１４の上部ケース６への正射影領域を含む領域に設けられていることにより、接着剤を用いずに、接続線１０を簡単にかつ確実に固定することができる。
【００４６】
すなわち、この電子鍵盤楽器の第１線材用フック１１では、フック部１４と上部ケース６との間のガイド空間１６に接続線１０を挟み込むように差し込むことにより、このガイド空間１６によって接続線１０を良好に挟持空間１５に導くことができ、この導かれた接続線１０を支持部１３とフック部１４との間の挟持空間１５で確実に挟み付けることができるので、接着剤を用いずに、接続線１０を簡単にかつ確実に固定することができる。
【００４７】
この場合、第１線材用フック１１のガイド空間１６は、上部ケース６の下面とフック部１４の延出部１４ｂの上端面との間隔が接続線１０の直径と同じか、それよりも大きく形成されていることにより、接続線１０をガイド空間１６に挟み込むように差し込む際に、接続線１０をガイド空間１６に円滑にかつ容易に差し込んで挿通させることができ、これにより接続線１０を挟持空間１５に容易にかつ良好に導くことができる。
【００４８】
また、この第１線材用フック１１の挟持空間１５は、支持部１３とフック部１４との対向面におけるフック部１４の対向面、つまりフック部１４の延出部１４ｂの対向面に、接続線１０が圧入によって挟持される圧入突起１７が設けられていることにより、接続線１０を確実にかつ強固に固定することができる。
【００４９】
すなわち、挟持空間１５は、延出部１４ｂに設けられた半円柱状の圧入突起１７と支持部１３との間隔が接続線１０の直径よりも小さく設定されているので、接続線１０を圧入によって挟持することができ、これにより接続線１０を確実にかつ強固に固定することができる。この場合、挟持空間１５は、上下方向の長さが複数の接続線１０、例えば２〜３本の接続線１０を挟める長さであることにより、２〜３本の接続線１０を圧入によって確実に固定することができる。
【００５０】
このため、この第１線材用フック１１は、フック部１４の肉厚が支持部１３の肉厚よりも厚く形成されていることにより、支持部１３に対するフック部１４の強度を確保することができる。これにより、接続線１０を圧入によって挟持空間１５が挟持した際に、フック部１４が破損することなく、接続線１０を確実にかつ強固に固定することができる。
【００５１】
この場合、フック部１４のアーム部１４ａは、上下方向の長さがフック部１４の延出部１４ｂの肉厚方向と直交する横方向の長さよりも長く形成されているので、これによっても支持部１３に対するフック部１４の強度を確保することができる。また、支持部１３は、フック部１４の肉厚方向の長さ（幅）がフック部１４の肉厚よりも長く形成されていることにより、支持部１３の強度を確保することができる。
【００５２】
また、この電子鍵盤楽器の第２線材用フック１２では、第１、第２貫通孔２７、２８が設けられたベース部である上部ケース６と、この上部ケース６に一端が設けられている支持部１３と、この支持部１３の両側面に設けられている第１、第２フック部２５、２６と、を備え、線材である接続線１０を挟持するための挟持空間１５が支持部１３と第１、第２フック部２５、２６との間に設けられており、第１、第２貫通孔２７、２８が第１、第２フック部２５、２６の上部ケース６への正射影領域に設けられていることにより、２本の接続線１０を支持部１３と第１、第２フック部２５、２６との間の一対の挟持空間１５でそれぞれ簡単にかつ確実に固定することができる。
【００５３】
すなわち、この第２線材用フック１２では、第１、第２フック部２５、２６と上部ケース６との間に設けられた一対のガイド空間１６に２本の接続線１０をそれぞれ挟み込むように差し込むことにより、一対のガイド空間１６によって２本の接続線１０をそれぞれ一対の挟持空間１５に良好に導くことができる。このため、導かれた２本の接続線１０を支持部１３と第１、第２フック部２５、２６との間に設けられた一対の挟持空間１５でそれぞれ確実に挟み付けることができるので、接着剤を用いずに、２本の接続線１０を簡単にかつ確実に固定することができる。
【００５４】
この場合、第２線材用フック１２の一対のガイド空間１６は、上部ケース６の下面と第１、第２フック部２５、２６の各延出部２５ｂ、２６ｂの上端面との間隔が接続線１０の直径と同じか、それよりも大きく形成されていることにより、２本の接続線１０を一対のガイド空間１６にそれぞれ挟み込むように差し込む際に、接続線１０を一対のガイド空間１６にそれぞれ円滑にかつ容易に差し込んで挿通させることができ、これにより２本の接続線１０を一対の挟持空間１５にそれぞれ容易にかつ良好に導くことができる。
【００５５】
また、この第２線材用フック１２の一対の挟持空間１５は、支持部１３と第１、第２フック部２５、２６との対向面における第１、第２フック部２５、２６の各対向面、つまり第１、第２フック部２５、２６の各延出部２５ｂ、２６ｂの対向面に、接続線１０が圧入によって挟持される圧入突起１７がそれぞれ設けられていることにより、２本の接続線１０をそれぞれ確実にかつ強固に固定することができる。
【００５６】
すなわち、一対の挟持空間１５は、第１、第２フック部２５、２６の各延出部２５ｂ、２６ｂにそれぞれ設けられた半円柱状の圧入突起１７と支持部１３との間隔が接続線１０の直径よりも小さく設定されているので、２本の接続線１０を圧入によってそれぞれ挟持することができ、これにより２本の接続線１０を確実にかつ強固に固定することができる。
【００５７】
このため、この第２線材用フック１２は、第１、第２フック部２５、２６の各肉厚が支持部１３の肉厚よりも厚く形成されていることにより、支持部１３に対する第１、第２フック部２５、２６の強度を確保することができる。これにより、接続線１０をそれぞれ圧入によって一対の挟持空間１５が挟持した際に、第１、第２フック部２５、２６が破損することなく、２本の接続線１０を確実にかつ強固に固定することができる。
【００５８】
この場合にも、一対の挟持空間１５それぞれは、上下方向の長さが複数の接続線１０、例えば２〜３本の接続線１０を挟める長さであることにより、一対の挟持空間１５それぞれで２〜３本の接続線１０を圧入によって確実に固定することができる。このため、この第２線材用フック１２では、４本〜６本の接続線１０を確実にかつ良好に圧入によって固定することができる。
【００５９】
また、この電子鍵盤楽器の第１、第２線材用フック１１、１２は、支持部１３がベース部である上部ケース６に成型用金型２０によって一体に形成されていることにより、第１、第２線材用フック１１、１２をそれぞれ個別に成型して上部ケース６に取り付ける必要がないので、生産性が良く、部品点数が少なく、部品管理が容易で、低コスト化を図ることができる。
【００６０】
この場合、第１線材用フック１１に対応するベース部である上部ケース６には、フック部１４の上部ケース６への正射影領域、つまりフック部１４の大きさに対応する領域の大きさの抜き孔である貫通孔１８が設けられていることにより、第１線材用フック１１を上部ケース６に成型用金型２０によって一体に成型する際に、成型用金型２０を上金型２１と下金型２２とで簡単にかつ容易に形成することができる。
【００６１】
また、第２線材用フック１２に対応するベース部である上部ケース６には、第１、第２フック部２５、２６の上部ケース６への正射影領域、つまり第１、第２フック部２５、２６それぞれの大きさに対応する領域の大きさの抜き孔である第１、第２貫通孔２７、２８がそれぞれ設けられていることにより、第２線材用フック１２を上部ケース６に成型用金型２０によって一体に成型する際に、成型用金型２０を上金型２１と下金型２２とで簡単にかつ容易に形成することができる。
【００６２】
すなわち、上金型２１と下金型２２とを重ね合わせることによって、内部に形成される成型用空間であるキャビティ２３は、上部ケース６のスピーカ搭載部６ａと側部カバー６ｂとを形成するキャビティ本体２３ａと、第１線材用フック１１を形成する第１キャビティ２３ｂと、第２線材用フック１２を形成する第２キャビティ２３ｃと、を備えた構造であれば良い。
【００６３】
このため、上金型２１には、キャビティ本体２３ａを形成する成型凹部２１ａと、第１キャビティ２３ｂを形成するための第１成型凸部２１ｂと、第２キャビティ２３ｃを形成するための第１成型凸部２１ｂとを設ければ良い。また、下金型２２には、上金型２１の第１成型凸部２１ｂが挿入して第１キャビティ２３ｂを形成するための第１成型凹部２２ａと、上金型２１の第２成型凸部２１ｃが挿入して第２キャビティ２３ｃを形成するための第２成型凹部２２ｂとを設ければ良い。
【００６４】
これにより、上金型２１と下金型２２とを重ね合わせた際には、下金型２２の第１成型凹部２２ａに上金型２１の第１成型凸部２１ｂを挿入させると共に、下金型２２の第２成型凹部２２ｂに上金型２１の第２成型凸部２１ｃを挿入させることにより、上金型２１と下金型２２との間にキャビティ本体２３ａを形成し、下金型２２の第１成型凹部２２ａと上金型２１の第１成型凸部２１ｂとの間に第１キャビティ２３ｂを形成し、下金型２２の第２成型凹部２２ｂと上金型２１の第２成型凸部２１ｃとの間に第２キャビティ２３ｃを形成することができる。
【００６５】
このため、この成型用金型２０では、キャビティ２３内に樹脂を注入すると、キャビティ本体２３ａ内に上部ケース６のスピーカ搭載部６ａと側部カバー６ｂとが形成され、第１キャビティ２３ｂ内に第１線材用フック１１が形成され、第２キャビティ２３ｃ内に第２線材用フック１２が形成されるので、上金型２１と下金型２２とを離型した際に、第１線材用フック１１および第２線材用フック１２が一体に形成された上部ケース６を簡単に成型することができる。
【００６６】
すなわち、第１キャビティ２３ｂを形成する上金型２１の第１成型凸部２１ｂを下金型２２の第１成型凹部２２ａから抜き出す際には、上部ケース６に抜き孔である貫通孔１８が第１線材用フック１１のフック部１４に対応して設けられることにより、上部ケース６の貫通孔１８を通して上金型２１の第１成型凸部２１ｂを下金型２２の第１成型凹部２２ａから確実にかつ良好に抜き出すことができる。
【００６７】
この場合、第１線材用フック１１の支持部１３は、下端部の肉厚が上端部の肉厚より厚く形成されて成型用金型２０の離型時における抜き勾配が設けられていると共に、フック部１４は、下端部の肉厚が上端部のフック部１４の肉厚より厚く形成されて成型用金型２０の離型時における抜き勾配が設けられていることにより、第１キャビティ２３ｂを形成する上金型２１の第１成型凸部２１ｂを下金型２２の第１成型凹部２２ａから抜き出す際に、支持部１３およびフック部１４を精度良く良好に成型することができる。
【００６８】
また、第２キャビティ２３ｃを形成する上金型２１の第２成型凸部２１ｃを下金型２２の第２成型凹部２２ｂから抜き出す際には、上部ケース６に抜き孔である第１、第２貫通孔２７、２８が第２線材用フック１２の第１、第２フック部２５、２６に対応して設けられることにより、上部ケース６の第１、第２貫通孔２７、２８を通して上金型２１の第２成型凸部２１ｃを下金型２２の第２成型凹部２２ｂから確実にかつ良好に抜き出すことができる。
【００６９】
この場合にも、第２線材用フック１２の支持部１３は、下端部の肉厚が上端部の肉厚より厚く形成されて成型用金型２０の離型時における抜き勾配が設けられていると共に、第１、第２フック部２５、２６は、下端部の各肉厚が上端部の肉厚より厚く形成されて成型用金型２０の離型時における抜き勾配が設けられていることにより、第２キャビティ２３ｃを形成する上金型２１の第１成型凸部２１ｂを下金型２２の第２成型凹部２２ｂから抜き出す際に、支持部１３および第１、第２フック部２５、２６を精度良く良好に成型することができる。
【００７０】
このため、この成型用金型２０では、第１、第２線材用フック１１、１２を上部ケース６に成型用金型２０によって一体に成型する際に、スライドコアなどを用いずに、上金型２１と下金型２２とで正確にかつ確実に第１、第２線材用フック１１、１２を上部ケース６に一体に形成することができる。
【００７１】
なお、上述した第１実施形態では、挟持空間１５の圧入突起１７を支持部１３とフック部１４，２５、２６の延出部１４ｂ、２５ｂ、２６ｂとの対向面のうち、延出部１４ｂ、２５ｂ、２６ｂの対向面に設けた場合について述べたが、この発明は、これに限らず、支持部１３の対向面に設けても良く、また支持部１３とフック部１４、２５、２６の延出部１４ｂ、２５ｂ、２６ｂとの両方の対向面それぞれに設けても良い。
【００７２】
（第２実施形態）
次に、図９を参照して、この発明を電子鍵盤楽器に適用した第２実施形態について説明する。なお、図１〜図８に示された第１実施形態と同一部分には同一符号を付して説明する。
この電子鍵盤楽器は、図９に示すように、線材用フック３０のフック部３１が第１実施形態と異なる構造であり、これ以外は第１実施形態とほぼ同じ構造になっている。
【００７３】
このフック部３１は、図９に示すように、上部ケース６の下面に垂下された支持部１３の側面に一体に設けられている。このフック部３１は、上部ケース６の下面とフック部３１の上部との間に設けられて線材である接続線１０をガイドするガイド空間３２と、このガイド空間３２からフック部３１の下部に向けて設けられて接続線１０を挟んで固定する挟持空間３３と、を備えている。
【００７４】
すなわち、このフック部３１は、図９に示すように、支持部１３の側面における上端部から下端部に亘って設けられた固定部３１ａと、この固定部３１ａの下部に設けられたアーム部３１ｂと、このアーム部３１ｂに設けられて上部ケース６に向けて延びる延出部３１ｃと、を備えている。これにより、挟持空間３３は、固定部３１ａと延出部３１ｃとの間に位置した状態で、フック部３１のアーム部３１ｂから固定部３１ａに沿って延出部３１ｃの上端部に亘って設けられている。
【００７５】
また、このフック部３１の挟持空間３３における固定部３１ａと延出部３１ｃとの対向面のうち、延出部３１ｃの対向面には、第１実施形態のフック部１４と同様、接続線１０を圧入させるための半円柱状の圧入突起１７（図６参照）が設けられている。すなわち、この挟持空間３３は、第１実施形態の挟持空間１５と同様、延出部３１ｃの圧入突起１７と固定部３１ａとの間隔が接続線１０の直径よりも小さく形成されている。これにより、挟持空間３３は、接続線１０が圧入されて固定されるようになっている。
【００７６】
また、ガイド空間３２は、図９に示すように、上部ケース６の下面と延出部３１ｃの上端部との間を通して固定部３１ａに亘って設けられている。このガイド空間３２は、上部ケース６の下面とフック部３１の延出部３１ｃの上端面との間隔が接続線１０の直径と同じか、それよりも大きく形成されている。このため、ガイド空間３２は、接続線１０が挟み込まれるように差し込まれて円滑にかつ容易に挿通されることにより、接続線１０を挟持空間３３に導くようになっている。
【００７７】
この場合にも、挟持空間３３は、図９に示すように、上下方向の長さが複数の接続線１０、例えば２〜３本の接続線１０を挟める長さになっている。このため、線材用フック３０は、複数の接続線１０が挟持空間３３に挟まれた際に、破損することがないように、十分な強度が確保されている。
【００７８】
すなわち、フック部３１は、図９に示すように、支持部１３の肉厚方向と直交する幅方向の肉厚が支持部１３の肉厚よりも厚く形成されている。支持部１３は、フック部３１の肉厚方向の長さ、つまり支持部１３の幅方向の長さが、フック部３１の肉厚よりも長く形成されている。また、フック部３１のアーム部３１ｂは、上下方向の長さがフック部３１の延出部３１ｃの肉厚方向と直交する幅方向の長さよりも長く形成されている。これらによって、線材用フック３０は、十分な強度が確保されている。
【００７９】
この場合、支持部１３は、図９に示すように、下端部の肉厚が上端部の肉厚より厚く形成されている。これにより、支持部１３には、第１実施形態と同様、成型用金型２０の離型時における抜き勾配が設けられている。また、フック部３１は、下端部の肉厚が上端部のフック部３１の肉厚より厚く形成されている。これにより、フック部３１には、第１実施形態と同様、成型用金型２０の離型時における抜き勾配が設けられている。
【００８０】
また、上部ケース６には、図９に示すように、フック部３１の大きさに対応する大きさの抜き孔である貫通孔３４が上下に貫通して設けられている。すなわち、この貫通孔３４は、成型用金型２０でフック部３１を成型する際の成型用金型２０の型抜き用の抜き孔である。このため、この貫通孔３４は、フック部３１の上部ケース６への正射影領域、つまりガイド空間３２におけるフック部３１の延出部３１ｃの上端面、および挟持空間３３における支持部１３に設けられた固定部３１ａと延出部３１ｃとの間隔の両方に対応する大きさの領域に設けられている。
【００８１】
このような電子鍵盤楽器の線材用フック３０によれば、貫通孔３４が設けられたベース部である上部ケース６と、この上部ケース６に一端が設けられた支持部１３と、この支持部１３の側面に設けられたフック部３１と、を備え、線材である接続線１０を挟持するための挟持空間３３が、フック部１４に設けられており、貫通孔３４がフック部３１の上部ケース６への正射影領域を含む領域に設けられていることにより、フック部１４の挟持空間１５で接続線１０を確実に挟み付けることができるので、接着剤を用いずに、接続線１０を簡単にかつ確実に固定することができる。
【００８２】
また、この電子鍵盤楽器の線材用フック３０では、上部ケース６の下面とフック部１４との間にガイド空間３２が設けられているので、このガイド空間３２に接続線１０を挟み込むように差し込むことにより、このガイド空間３２によって接続線１０を良好に挟持空間３３に導くことができる。
【００８３】
また、この線材用フック３０の挟持空間３３は、フック部３１の上部から下部に亘って設けられている。この挟持空間３３の対向面、つまりフック部３１の固定部３１ａと延出部３１ｃとの対向面のうち、延出部３１ｃの対向面には、接続線１０が圧入によって挟持される圧入突起１７（図６参照）が設けられていることにより、接続線１０を確実にかつ強固に固定することができる。
【００８４】
また、この線材用フック３０は、支持部１３がベース部である上部ケース６に成型用金型２０によって一体に形成されていることにより、第１実施形態と同様、線材用フック３０をそれぞれ個別に成型して上部ケース６に取り付ける必要がないので、生産性が良く、部品点数が少なく、部品管理が容易で、低コスト化を図ることができる。
【００８５】
この場合、線材用フック３０に対応するベース部である上部ケース６には、フック部３１の上部ケース６への正射影領域、つまりフック部３１の大きさに対応する領域の大きさの抜き孔である貫通孔３４が設けられていることにより、線材用フック３０を上部ケース６に成型用金型２０によって一体に成型する際に、成型用金型２０を上金型２１と下金型２２とで簡単にかつ容易に製作することができる。
【００８６】
この場合、線材用フック３０の支持部１３は、第１実施形態と同様、下端部の肉厚が上端部の肉厚より厚く形成されて成型用金型２０の離型時における抜き勾配が設けられていると共に、フック部３１は、下端部の肉厚が上端部のフック部３１の肉厚より厚く形成されて成型用金型２０の離型時における抜き勾配が設けられていることにより、上金型２１と下金型２２とを離型する際に、支持部１３およびフック部３１を精度良く良好に成型することができる。
【００８７】
このため、この成型用金型２０では、線材用フック３０を上部ケース６に成型用金型２０によって一体に成型する際に、第１実施形態と同様、スライドコアなどを用いずに、上金型２１と下金型２２とで正確にかつ確実に線材用フック３０を上部ケース６に一体に形成することができる。
【００８８】
なお、上述した第２実施形態では、支持部１３の片側の側面にフック部３１を設けた場合について述べたが、この発明は、これに限らず、第１実施形態の第２線材用フック１２と同様、支持部１３の両側の各側面に一対のフック部３１をそれぞれ設けた構造であっても良い。この場合には、上部ケース６に一対のフック部３１の正射影領域、つまりフック部３１に対応する領域の大きさの抜き孔である第１、第２貫通孔を設ければ良い。
【００８９】
また、上述した第２実施形態では、挟持空間３３の圧入突起１７をフック部３１の固定部３１ａと延出部３１ｃとの対向面のうち、延出部３１ｃの対向面に設けた場合について述べたが、この発明は、これに限らず、フック部３１の固定部３１ａの対向面に設けても良く、またフック部３１の固定部３１ａと延出部３１ｃとの両方の対向面それぞれに設けても良い。
【００９０】
また、上述した第１、第２実施形態では、第１線材用フック１１および線材用フック３０の支持部１３の片側の側面に１つの挟持空間１５、３３を有するフック部１４、３１を設けた場合について述べたが、この発明は、これに限らず、例えば図１０（ａ）に示された第１変形例のように、線材用フック４０の１つのフック部４１に２つの挟持空間４２、４３を設けた構造であっても良い。
【００９１】
すなわち、この第１変形例のフック部４１は、図１０（ａ）に示すように、上部ケース６の下面に垂下された支持部１３の側面に一体に設けられている。このフック部４１は、上部ケース６の下面とフック部４１の上部との間に設けられて線材である接続線１０をガイドするガイド空間４４と、このガイド空間４４からフック部４１の下部に向けて設けられて接続線１０を挟んで固定する第１、第２挟持空間４２、４３と、を備えている。
【００９２】
すなわち、このフック部４１は、図１０（ａ）に示すように、支持部１３の側面におけるガイド空間４４の下部に位置する上部から下端部に亘って設けられた固定部４１ａと、この固定部４１ａの下部に設けられたアーム部４１ｂと、このアーム部４１ｂに設けられて上部ケース６に向けて延びる第１、第２延出部４１ｃ、４１ｄと、を備えている。これにより、第１、第２挟持空間４２、４３は、フック部４１のアーム部４１ｂから固定部４１ａに沿って第１、第２延出部４１ｃ、４１ｄの上端部に亘って互いに平行に設けられている。
【００９３】
この場合、フック部４１の第１挟持空間４２における固定部４１ａと第１延出部４１ｃとの対向面のうち、第１延出部４１ｃの対向面には、第１実施形態のフック部１４と同様、接続線１０を圧入させるための半円柱状の圧入突起１７（図６参照）が設けられている。すなわち、この第１挟持空間４２は、第１実施形態の挟持空間１５と同様、第１延出部４１ｃの圧入突起１７と固定部４１ａとの間隔が接続線１０の直径よりも小さく形成されている。これにより、第１挟持空間４２は、接続線１０が圧入されて固定されるようになっている。
【００９４】
また、このフック部４１の第２挟持空間４３における第１延出部４１ｃと第２延出部４１ｄとの対向面のうち、第２延出部４１ｄの対向面には、第１挟持空間４２と同様、接続線１０を圧入させるための半円柱状の圧入突起１７が設けられている。すなわち、この第２挟持空間４３も、第１挟持空間４２と同様、第２延出部４１ｄの圧入突起１７と第１延出部４１ｃとの間隔が接続線１０の直径よりも小さく形成されている。これにより、第２挟持空間４３も、接続線１０が圧入されて固定されるようになっている。
【００９５】
また、ガイド空間４４は、図１０（ａ）に示すように、第１、第２延出部４１ｃ、４１ｄの各上端部および固定部４１ａの上端部と上部ケース６の下面との間を通して支持部１３に亘って設けられている。このガイド空間４４は、上部ケース６の下面とフック部４１の第１、第２延出部４１ｃ、４１ｄの各上端面との間隔が接続線１０の直径と同じか、それよりも大きく形成されている。このため、ガイド空間４４は、接続線１０が挟み込まれるように差し込まれて円滑にかつ容易に挿通されることにより、接続線１０を第１、第２挟持空間４２、４３に導くようになっている。
【００９６】
この場合にも、第１、第２挟持空間４２、４３は、図１０（ａ）に示すように、上下方向の長さが複数の接続線１０、例えば２〜３本の接続線１０を挟める長さになっている。このため、この線材用フック４０は、複数の接続線１０が第１、第２挟持空間４２、４３に挟まれた際に、破損することがないように、十分な強度が確保されている。
【００９７】
すなわち、フック部４１は、図１０（ａ）に示すように、支持部１３の肉厚方向と直交する幅方向の肉厚が支持部１３の肉厚よりも厚く形成されている。支持部１３は、フック部４１の肉厚方向の長さ、つまり支持部１３の幅方向の長さが、フック部４１の肉厚よりも長く形成されている。また、フック部４１のアーム部４１ｂは、上下方向の長さがフック部４１の第１、第２延出部４１ｃ、４１ｄの肉厚方向と直交する幅方向の長さよりも長く形成されている。これらによって、線材用フック４０は、十分な強度が確保されている。
【００９８】
この場合、支持部１３は、図１０（ａ）に示すように、下端部の肉厚が上端部の肉厚より厚く形成されている。これにより、支持部１３には、第１実施形態と同様、成型用金型２０の離型時における抜き勾配が設けられている。また、フック部４１は、下端部の肉厚が上端部のフック部４１の肉厚より厚く形成されている。これにより、フック部４１には、第１実施形態と同様、成型用金型２０の離型時における抜き勾配が設けられている。
【００９９】
また、上部ケース６には、図１０（ａ）に示すように、フック部４１の大きさに対応する大きさの抜き孔である貫通孔４５が上下に貫通して設けられている。すなわち、この貫通孔４５は、成型用金型２０でフック部４１を成型する際の成型用金型２０の型抜き用の抜き孔である。
【０１００】
このため、この貫通孔４５は、図１０（ａ）に示すように、フック部４１の上部ケース６への正射影領域、つまりガイド空間４４におけるフック部４１の第１、第２延出部４１ｃ、４１ｄの各上端面、および第１、第２挟持空間４２、４３における支持部１３に設けられた固定部４１ａと第１、第２延出部４１ｃ、４１ｄとの間隔の両方に対応する大きさの領域に設けられている。
【０１０１】
このような電子鍵盤楽器の線材用フック４０によれば、第２実施形態の線材用フック３０と同様の作用効果があるほか、フック部４１に設けられたガイド空間４４によって２本の接続線１０をそれぞれ第１、第２挟持空間４２、４３に良好に導くことができる。このため、導かれた２本の接続線１０をフック部４１に設けられた第１、第２挟持空間４２、４３でそれぞれ確実に挟み付けることができるので、接着剤を用いずに、２本の接続線１０を簡単にかつ確実に固定することができる。
【０１０２】
この場合にも、第１、第２挟持空間４２、４３それぞれは、上下方向の長さが複数の接続線１０、例えば２〜３本の接続線１０を挟める長さであることにより、第１、第２挟持空間４２、４３それぞれで２〜３本の接続線１０を圧入によって確実に固定することができる。このため、この線材用フック４０では、１つのフック部４１によって４本〜６本の接続線１０を確実にかつ良好に圧入によって固定することができる。
【０１０３】
なお、上述した第１変形例では、支持部１３の片側の側面にフック部４１を設けた場合について述べたが、この発明は、これに限らず、第１実施形態の第２線材用フック１２と同様、支持部１３の両側の各側面に一対のフック部４１をそれぞれ設けた構造であっても良い。この場合には、上部ケース６に一対のフック部４１の正射影領域、つまりフック部４１に対応する領域の大きさの抜き孔である第１、第２貫通孔を設ければ良い。
【０１０４】
また、上述した第１変形例では、第１、第２挟持空間４２、４３の圧入突起１７をフック部４１の固定部４１ａと第１延出部４１ｃとの対向面のうち、第１延出部４１ｃの対向面、および第１延出部４１ｃと第２延出部４１ｄの対向面のうち、第２延出部４１ｄの対向面に設けた場合について述べたが、この発明は、これに限られない。
【０１０５】
すなわち、圧入突起１７は、フック部４１の固定部４１ａと第１延出部４１ｃとの対向面のうち、固定部４１ａの対向面に設け、かつ第１延出部４１ｃと第２延出部４１ｄの対向面のうち、第１延出部４１ｃの対向面に設けても良く、またフック部３１の固定部４１ａと第１延出部４１ｃとの対向面の両方、および第１延出部４１ｃと第２延出部４１ｄの対向面の両方に設けても良い。
【０１０６】
また、この発明は、上述した第１、第２実施形態およびその第１変形例に限らず、例えば図１０（ｂ）に示された第２変形例の線材用フック５０のように、支持部１３の両側の各側面のうち、一方の側面に第１フック部５１を設け、他方の側面に第２フック部５２を設けた構造であっても良い。
【０１０７】
すなわち、この第２変形例の線材用フック５０の第１フック部５１は、図１０（ｂ）に示すように、第２実施形態のフック部３１と同様、上部ケース６の下面に垂下された支持部１３の一方の側面（図１０（ｂ）では左側面）に一体に設けられている。この第１フック部５１は、上部ケース６の下面とフック部３１の上部との間に設けられて線材である接続線１０をガイドするガイド空間５３と、このガイド空間５３から第１フック部５１の下部に向けて設けられて接続線１０を挟んで固定する挟持空間５４と、を備えている。
【０１０８】
この場合、第１フック部５１は、図１０（ｂ）に示すように、支持部１３の側面における上端部から下端部に亘って設けられた固定部５１ａと、この固定部５１ａの下部に設けられたアーム部５１ｂと、このアーム部５１ｂに設けられて上部ケース６に向けて延びる延出部５１ｃと、を備えている。これにより、挟持空間５４は、固定部５１ａと延出部５１ｃとの間に位置した状態で、第１フック部５１のアーム部５１ｂから固定部５１ａに沿って延出部５１ｃの上端部に亘って設けられている。
【０１０９】
また、この第１フック部５１の挟持空間５４における固定部５１ａと延出部５１ｃとの対向面のうち、延出部５１ｃの対向面には、第２実施形態のフック部３１と同様、接続線１０を圧入させるための半円柱状の圧入突起１７（図６参照）が設けられている。すなわち、この挟持空間５４は、第２実施形態の挟持空間３３と同様、延出部５１ｃの圧入突起１７と固定部５１ａとの間隔が接続線１０の直径よりも小さく形成されている。これにより、挟持空間５４は、接続線１０が圧入されて固定されるようになっている。
【０１１０】
また、ガイド空間５３は、図１０（ｂ）に示すように、上部ケース６の下面と延出部５１ｃの上端部との間を通して固定部５１ａに亘って設けられている。このガイド空間５３は、上部ケース６の下面と第１フック部５１の延出部５１ｃの上端面との間隔が接続線１０の直径と同じか、それよりも大きく形成されている。このため、ガイド空間５３は、接続線１０が挟み込まれるように差し込まれて円滑にかつ容易に挿通されることにより、接続線１０を挟持空間５４に導くようになっている。
【０１１１】
この場合にも、挟持空間５４は、図１０（ｂ）に示すように、上下方向の長さが複数の接続線１０、例えば２〜３本の接続線１０を挟める長さになっている。このため、第１フック部５１は、複数の接続線１０が挟持空間５４に挟まれた際に、破損することがないように、十分な強度が確保されている。
【０１１２】
すなわち、第１フック部５１は、図１０（ｂ）に示すように、支持部１３の肉厚方向と直交する幅方向の肉厚が支持部１３の肉厚よりも厚く形成されている。支持部１３は、第１フック部５１の肉厚方向の長さ、つまり支持部１３の幅方向の長さが、第１フック部５１の肉厚よりも長く形成されている。また、第１フック部５１のアーム部５１ｂは、上下方向の長さが第１フック部５１の延出部５１ｃの肉厚方向と直交する幅方向の長さよりも長く形成されている。これらによって、第１フック５１は、十分な強度が確保されている。
【０１１３】
この場合、支持部１３は、図１０（ｂ）に示すように、下端部の肉厚が上端部の肉厚より厚く形成されている。これにより、支持部１３には、第１実施形態と同様、成型用金型２０の離型時における抜き勾配が設けられている。また、第１フック部５１は、下端部の肉厚が上端部の第１フック部５１の肉厚より厚く形成されている。これにより、第１フック部５１には、第１実施形態と同様、成型用金型２０の離型時における抜き勾配が設けられている。
【０１１４】
また、上部ケース６には、図１０（ｂ）に示すように、フック部３１の大きさに対応する大きさの抜き孔である第１貫通孔５５が上下に貫通して設けられている。すなわち、この第１貫通孔５５は、成型用金型２０で第１フック部５１を成型する際の成型用金型２０の型抜き用の抜き孔である。このため、この第１貫通孔５５は、第１フック部５１の上部ケース６への正射影領域、つまりガイド空間５３における第１フック部５１の延出部５１ｃの上端面、および挟持空間５４における支持部１３に設けられた固定部５１ａと延出部５１ｃとの間隔の両方に対応する大きさの領域に設けられている。
【０１１５】
一方、この線材用フック５０の第２フック部５２は、図１０（ｂ）に示すように、第１変形例のフック部４１と同様、２つの挟持空間５６、５７を備えている。すなわち、この第２フック部５２は、上部ケース６の下面に垂下された支持部１３の他方の側面（図１０（ｂ）では右側面）に一体に設けられている。
【０１１６】
この第２フック部５２は、図１０（ｂ）に示すように、上部ケース６の下面と第２フック部５２の上部との間に設けられて線材である接続線１０をガイドするガイド空間５８と、このガイド空間５８から第２フック部５２の下部に向けて設けられて接続線１０を挟んで固定する第１、第２挟持空間５６、５７と、を備えている。
【０１１７】
すなわち、この第２フック部５２は、図１０（ｂ）に示すように、支持部１３の側面におけるガイド空間５８の下部に位置する上部から下端部に亘って設けられた固定部５２ａと、この固定部５２ａの下部に設けられたアーム部５２ｂと、このアーム部５２ｂに設けられて上部ケース６に向けて延びる第１、第２延出部５２ｃ、５２ｄと、を備えている。これにより、第１、第２挟持空間５６、５７は、第２フック部５２のアーム部５２ｂから固定部５２ａに沿って第１、第２延出部５２ｃ、５２ｄの上端部に亘って互いに平行に設けられている。
【０１１８】
この場合、第２フック部５２の第１挟持空間５６における固定部５２ａと第１延出部５２ｃとの対向面のうち、第１延出部５２ｃの対向面には、第１実施形態のフック部１４と同様、接続線１０を圧入させるための半円柱状の圧入突起１７（図６参照）が設けられている。すなわち、この第１挟持空間５６は、第１実施形態の挟持空間１５と同様、第１延出部５２ｃの圧入突起１７と固定部５２ａとの間隔が接続線１０の直径よりも小さく形成されている。これにより、第１挟持空間５６は、接続線１０が圧入されて固定されるようになっている。
【０１１９】
また、この第２フック部５２の第２挟持空間５７における第１延出部５２ｃと第２延出部５２ｄとの対向面のうち、第２延出部５２ｄの対向面には、第１挟持空間５６と同様、接続線１０を圧入させるための半円柱状の圧入突起１７が設けられている。すなわち、この第２挟持空間５７も、第１挟持空間５６と同様、第２延出部５２ｄの圧入突起１７と第１延出部５２ｃとの間隔が接続線１０の直径よりも小さく形成されている。これにより、第２挟持空間５７も、接続線１０が圧入されて固定されるようになっている。
【０１２０】
また、ガイド空間５８は、図１０（ｂ）に示すように、第１、第２延出部５２ｃ、５２ｄの各上端部および固定部５２ａの上端部と上部ケース６の下面との間を通して支持部１３に亘って設けられている。このガイド空間５８は、上部ケース６の下面と第２フック部５２の第１、第２延出部５２ｃ、５２ｄの各上端面との間隔が接続線１０の直径と同じか、それよりも大きく形成されている。このため、ガイド空間５８は、接続線１０が挟み込まれるように差し込まれて円滑にかつ容易に挿通されることにより、接続線１０を第１、第２挟持空間５６、５７に導くようになっている。
【０１２１】
この場合にも、第１、第２挟持空間５６、５７は、図１０（ｂ）に示すように、上下方向の長さが複数の接続線１０、例えば２〜３本の接続線１０を挟める長さになっている。このため、この第２フック部５２は、複数の接続線１０が第１、第２挟持空間５６、５７に挟まれた際に、破損することがないように、十分な強度が確保されている。
【０１２２】
すなわち、第２フック部５２は、図１０（ｂ）に示すように、支持部１３の肉厚方向と直交する幅方向の肉厚が支持部１３の肉厚よりも厚く形成されている。支持部１３は、第２フック部５２の肉厚方向の長さ、つまり支持部１３の幅方向の長さが、第２フック部５２の肉厚よりも長く形成されている。また、第２フック部５２のアーム部５２ｂは、上下方向の長さが第２フック部５２の第１、第２延出部５２ｃ、５２ｄの肉厚方向と直交する幅方向の長さよりも長く形成されている。これらによって、第２フック部５２は、十分な強度が確保されている。
【０１２３】
この場合、支持部１３は、図１０（ｂ）に示すように、下端部の肉厚が上端部の肉厚より厚く形成されている。これにより、支持部１３には、第１実施形態と同様、成型用金型２０の離型時における抜き勾配が設けられている。また、第２フック部５２は、下端部の肉厚が上端部の第２フック部５２の肉厚より厚く形成されている。これにより、第２フック部５２には、第１実施形態と同様、成型用金型２０の離型時における抜き勾配が設けられている。
【０１２４】
また、上部ケース６には、図１０（ｂ）に示すように、第２フック部５２の大きさに対応する大きさの抜き孔である第２貫通孔６０が上下に貫通して設けられている。すなわち、この第２貫通孔６０は、成型用金型２０で第２フック部５２を成型する際の成型用金型２０の型抜き用の抜き孔である。
【０１２５】
このため、この第２貫通孔６０は、図１０（ｂ）に示すように、第２フック部５２の上部ケース６への正射影領域、つまりガイド空間５８における第２フック部５２の第１、第２延出部５２ｃ、５２ｄの各上端面、および第１、第２挟持空間５６、５７における支持部１３に設けられた固定部５２ａと第１、第２延出部５２ｃ、５２ｄとの間隔の両方に対応する大きさの領域に設けられている。
【０１２６】
このような電子鍵盤楽器の線材用フック５０によれば、第２実施形態の線材用フック３０および第１変形例の線材用フック４０と同様の作用効果があるほか、第１フック部５１のガイド空間５３によって１本の接続線１０を挟持空間５４に良好に導いて、この挟持空間５４で確実に挟み付けることができ、また第２フック部５２のガイド空間５８によって２本の接続線１０をそれぞれ第１、第２挟持空間５６、５７３に良好に導いて、２本の接続線１０を第１、第２挟持空間５６、５７でそれぞれ確実に挟み付けることができる。
【０１２７】
このため、この線材用フック５０では、第１フック部５１の挟持空間５４で１本の接続線１０を確実に挟み付けて固定することができると共に、第２フック部５２の第１、第２挟持空間５６、５７で２本の接続線１０をそれぞれ確実に挟み付けて固定することができるので、接着剤を用いずに、３本の接続線１０を簡単にかつ確実に固定することができる。
【０１２８】
この場合にも、第１フック部５１の挟持空間５４と第２フック部５２の第１、第２挟持空間４２、４３とは、それぞれ上下方向の長さが複数の接続線１０、例えば２〜３本の接続線１０を挟める長さであることにより、第１フック部５１の挟持空間５４と第２フック部５２の第１、第２挟持空間５６、５７とでそれぞれ２〜３本の接続線１０を圧入によって確実に固定することができる。このため、この線材用フック５０では、６本〜８本の接続線１０を確実にかつ良好に圧入によって固定することができる。
【０１２９】
なお、上述した第１、第２実施形態および第１、第２変形例では、第１、第２線材用フック１１、１２、線材用フック３０、４０、５０を上部ケース６に設けた場合について述べたが、この発明は、これに限らず、中間ケース７に設けても良く、また下部ケース５に設けても良い。
【０１３０】
また、上述した第１、第２実施形態および第１、第２変形例では、第１、第２線材用フック１１、１２、線材用フック３０、４０、５０を上部ケース６に一体に形成した場合について述べたが、この発明は、これに限らず、各線材用フック１１、１２、３０、４０、５０をそれぞれ個別に製作して、上部ケース６、中間ケース７、および下部ケース５にそれぞれ取り付けるようにしても良い。
【０１３１】
また、上述した第１、第２実施形態および第１、第２変形例では、第１、第２線材用フック１１、１２、線材用フック３０、４０、５０に固定される接続線１０がスピーカ８と回路基板（図示せず）とを接続する場合について述べたが、この発明は、これに限らず、例えば鍵盤部２のスイッチ基板と回路基板とを接続する接続線であっても良く、また表示操作部４のスイッチ部４ａと回路基板とを接続する接続線であって良い。
【０１３２】
さらに、上述した第１、第２実施形態および第１、第２変形例では、電子鍵盤楽器に適用した場合について述べたが、この発明は、必ずしも電子鍵盤楽器である必要はなく、例えばギターやマンドリン、琴などの電子楽器にも適用することができる。また、この発明は、電子楽器に限らず、パーソナルコンピュータなどの電子機器にも適用することができる。
【０１３３】
以上、この発明のいくつかの実施形態について説明したが、この発明は、これらに限られるものではなく、特許請求の範囲に記載された発明とその均等の範囲を含むものである。
以下に、本願の特許請求の範囲に記載された発明を付記する。
【０１３４】
（付記）
請求項１に記載の発明は、第１貫通孔が設けられたベース部と、前記ベース部に一端が設けられている支持部と、前記支持部の側面に設けられている第１部材と、を備え、線材を挟持するための挟持空間が、少なくとも前記支持部と前記第１部材との間及び、前記第１部材内のいずれかに設けられており、前記第１貫通孔は、前記第１部材の前記ベース部への正射影領域を含む領域を有することを特徴とする線材用フックである。
【０１３５】
請求項２に記載の発明は、請求項１に記載の線材用フックにおいて、前記線材を前記挟持空間に導くためのガイド空間が、前記支持部の一端側かつ、前記第１部材と前記ベース部との間に設けられていることを特徴とする線材用フックである。
【０１３６】
請求項３に記載の発明は、請求項１または２記載の線材用フックにおいて、前記ベース部側の一端の前記支持部の肉厚は、他端の前記支持部の肉厚より厚いことを特徴とする線材用フックである。
【０１３７】
請求項４に記載の発明は、請求項１乃至３のいずれかに記載の線材用フックにおいて、前記ベース部側の一端の前記第１部材の肉厚は、他端の前記第１部材の肉厚より厚いことを特徴とする線材用フックである。
【０１３８】
請求項５に記載の発明は、請求項１乃至４のいずれかに記載の線材用フックにおいて、
前記挟持空間が前記支持部と前記第１部材との間に設けられている場合に、前記支持部と前記第１部材との対向面の少なくとも一方には、前記線材が圧入される圧入突起が設けられていることを特徴とする線材用フックである。
【０１３９】
請求項６に記載の発明は、請求項１乃至５のいずれかに記載の線材用フックにおいて、前記挟持空間が前記第１部材内に設けられている場合に、前記第１部材内には、前記線材が圧入される圧入突起が設けられていることを特徴とする線材用フックである。
【０１４０】
請求項７に記載の発明は、請求項１乃至６のいずれかに載の線材用フックにおいて、前記支持部の前記側面とは別の面に、線材を挟持させる第２部材が更に設けられており、前記ベース部材は、前記第２部材の前記ベース部材への正射影領域を含む領域の第２貫通孔を有することを特徴とする線材用フックである。
【０１４１】
請求項８に記載の発明は、請求項１乃至７のいずれかに記載の線材用フックにおいて、前記支持部は、前記ベース部に一体に形成されていることを特徴とする線材用フックである。
【０１４２】
請求項９に記載の発明は、請求項１乃至８のいずれかに記載の線材用フックと、前記線材用フックに係止される配線と、を備えていることを特徴とする電子機器である。
【０１４３】
請求項１０に記載の発明は、請求項１乃至８のいずれかに記載の線材用フックと、前記線材用フックに係止される配線と、を備えていることを特徴とする電子楽器である。
【符号の説明】
【０１４４】
１  楽器ケース
２  鍵盤部
３  スピーカ部
４  表示操作部
５  下部ケース
６  上部ケース
７  中間ケース
８  スピーカ
１０  接続線
１１  第１線材用フック
１２  第２線材用フック
１３  支持部
１４、３１、４１  フック部
１４ａ、２５ａ、２６ａ、３１ｂ、４１ｂ、５１ｂ、５２ｂ  アーム部
１４ｂ、２５ｂ、２６ｂ、３１ｃ、５１ｃ  延出部
１５、３３、５４  挟持空間
１６、３２、４４、５３、５８  ガイド空間
１７  圧入突起
１８、３４、４５  貫通孔
２０  成型用金型
２１  上金型
２１ａ  成型凹部
２１ｂ  第１成型凸部
２１ｃ  第２成型凸部
２２  下金型
２２ａ  第１成型凹部
２２ｂ  第２成型凹部
２５、２６、５１、５２  第１、第２フック部
２７、２８、５５、６０  第１、第２貫通孔
３０、４０、５０  線材用フック
３１ａ、４１ａ、５１ａ、５２ａ  固定部
４１ｃ、４１ｄ、５２ｃ、５２ｄ  第１、第２延出部
４２、４３、５６、５７  第１、第２挟持空間
【図１】
2019091865.tif 000003
【図２】
2019091865.tif 000004
【図３】
2019091865.tif 000005
【図４】
2019091865.tif 000006
【図５】
2019091865.tif 000007
【図６】
2019091865.tif 000008
【図７】
2019091865.tif 000009
【図８】
2019091865.tif 000010
【図９】
2019091865.tif 000011
【図１０】
2019091865.tif 000012